(57)【要約】【課題】  平面に面白みのある布製バックの提供。【解決手段】  袋本体１の両側に一対の袖部２を配置し、両者を連結すると共に、その両者に共通する紐通し３を設け、そこに紐４を挿通することにより、一対の袖部２と袋本体１との開口を同時に閉塞できるＴシャツ型の布製バック。【選択図】        図１
0003162821.tif 000002
【実用新案登録請求の範囲】
【請求項１】
上端が開放され、周縁が袋状に縫製された布製バックにおいて、
平面が方形の袋本体部(1)と、その袋本体部(1)の開口側両側に設けられ、その袋本体部(1)より小なる平面が方形で、周縁が閉塞された一対の袖部(2)と、を有し、
その各袖部(2)と袋本体部(1)との境の下端部は分離して、バック全体の平面がＴシャツ状に形成され、
その両袖部(2)と袋本体部(1)の開口縁にそれぞれ紐通し(3)が形成され、その紐通しに環状に共通の紐(4)が挿通されて、その端部がその開口縁から外部に導き出され、紐(4)を絞ることにより、袋本体部(1)の開口および両袖部(2)の開口が同時に閉じるように構成したことを特徴とする布製バック。
【請求項２】
請求項１の布製バックにおいて、
前記紐(4)が、その両袖部(2)の紐通し(3)の両端に設けた欠切(7)を介して、それぞれ外部に導き出され、その両端が袋本体部(1)の下端両側に連結された布製バック。
【請求項３】
請求項１または請求項２に記載の布製バックにおいて、
前記袖部(2)と袋本体部(1)との境が縫製され、その袖部(2)がポケット状に形成された布製バック。
【考案の詳細な説明】
【技術分野】
【０００１】
本考案は、開口部を紐で開閉自在に閉塞する収納用の布製バックに関する。
【背景技術】
【０００２】
袋状に形成され、その開口部に環状に紐を挿通し、その紐を絞ることによって口を絞る各種布製バックが知られている。
【先行技術文献】
【特許文献】
【０００３】
【特許文献１】特開平７−３０３５１０号公報
【考案の概要】
【考案が解決しようとする課題】
【０００４】
紐付きの布製バックにおいて、その平面形状に面白みのある、購買意欲を高めるものを提供することを本考案の課題とする。
【課題を解決するための手段】
【０００５】
請求項１に記載の本考案は、上端が開放され、袋状に周縁が縫製された布製バックにおいて、
平面が方形の袋本体部(1)と、その袋本体部(1)の開口側両側に設けられ、その袋本体部(1)より小なる平面が方形で、周縁が閉塞された一対の袖部(2)と、を有し、
その各袖部(2)と袋本体部(1)との境の下端部は分離して、バック全体の平面がＴシャツ状に形成され、
その両袖部(2)と袋本体部(1)の各開口縁にそれぞれ紐通し(3)が形成され、その各紐通しに環状に共通の紐(4)が挿通されて、その端部がその開口縁から外部に導き出され、紐(4)を絞ることにより、袋本体部(1)の開口および両袖部(2)の開口が同時に閉じるように構成したことを特徴とする布製バックである。
【０００６】
請求項２に記載の本考案は、請求項１の布製バックにおいて、
前記紐(4)が、その両袖部(2)の紐通し(3)の両端に設けた欠切(7)を介してそれぞれ導き出され、その両端が袋本体部(1)の下端両側に連結された布製バックである。
【０００７】
請求項３に記載の本考案は、請求項１または請求項２に記載の布製バックにおいて、
前記袖部(2)と袋本体部(1)との境が縫製され、その袖部(2)がポケット状に形成された布製バックである。
【考案の効果】
【０００８】
本考案の布製バックは、その紐４が袋本体部１と袖部２とに挿通され、その紐４を絞ることにより、袋本体部１の開口および両袖部２の開口が同時に閉じるように構成したから、全体がＴシャツ型の布製バックにおいて両袖部２と袋本体部１との内部に夫々物を収納することができ、開閉が簡便である。
【０００９】
上記構成において、請求項２に記載のように、紐４を袖部２の紐通し３の両端に設けた欠切７を介して夫々導き出し、その両端を袋本体部１の下端両側に連結した場合には、リュックサックのようにその布製バックを背負うことが出きる。
【００１０】
上記構成において、請求項３に記載のように、袖部２と袋本体部１との境を縫製し、その袖部２をポケット状に形成した場合には、袖部２に小物、例えば携帯電話等を収納し、袋本体部１にはそれと分離して、より大きなものを収納することができる。
【図面の簡単な説明】
【００１１】
【図１】本考案の布製バックの平面図。
【図２】図１におけるII−II矢視断面図。
【図３】図１におけるIII−III矢視図。
【図４】同布製バックの袖部２の斜視図。
【図５】本考案の布製バックの他の例の平面図。
【図６】図１の布製バックの使用状態の一例を示す説明図。
【考案を実施するための形態】
【００１２】
次に、図面に基づいて本考案の布製バックの実施例につき説明する。
本考案の布製バックは、方形で且つ袋状に形成された袋本体部１の上端両側に一対の同様の袋状の袖部２が配置され、袖部２と袋本体部１との境は、その下端部を除いて接続されている。袋本体部１および各袖部２は、この例では、夫々細長い帯状材をその底部側で折り返し両側を縫製したものである。そして袋本体部１の上端および各袖部２の上端は開放され、そこが僅かに折り返されて紐通し縫製糸11によって紐通し３を形成する。
【００１３】
紐通し３は、袋本体部１および袖部２において共通に貫通し、この例では２本の紐４が挿通される。そして、両袖部２の紐通し３の側端に欠切７が夫々設けられ、図３の如く、それらに各一対開口する。第１の紐４は、図１において、左側の袖部２の一対の欠切７から環状に紐通し３内を挿通され、その両端が左側の各欠切７から外に導かれ、それがハトメ５に挿通されて、その両端部が結び合わされる。同様に他の紐４は、右側の一対の欠切７から環状に導かれ、その両端が右側の各欠切７から外に導き出され、それが袋本体部１の右側下端のハトメ５に挿通され、その両端が結び合わされたものである。そして外側に導かれた左右一対の紐４を引っ張ることにより、袋本体部１の紐通し３および袖部２の紐通し３が絞られ、夫々の開口が同時に閉塞されるものである。
【００１４】
なお、この例では袋本体部１はその折返し底10が図２の如く折り返されてマチを取る。  そして袋本体部１の両側は本体縫製糸８によって袋状に縫製される。この本体縫製糸８は、袋本体部１の縁を内側に夫々僅かに折り返し、そこを縫着している。
袖部２においてもその下端が折り返され、両側が袖縫製糸9aによって閉塞されている。そして図３および図４に示す如く、袋本体部１と袖部２とは仕切13によって仕切られ、袖部２は小さなポケット状に形成される。そして、そこに携帯等の小物を挿脱自在に挿入することが可能となる。
【００１５】
袋本体部１と袖部２との間は、接続縫製糸９によって縫着されている。
この例では、袋本体部１の背面に各種キャラクターや文字等を入れることができる。また、その図柄等として各種Ｔシャツにプリントされているものを使用することもできる。  それらにより、バックとして特殊な形状となると共に、面白みがあり、需要者の購買意欲を高めることができる。
そして両側に存在する一対づつの紐４を絞ることにより、各紐通し３を閉塞し、図６の如く布製バックを背負うことが可能となり、使い勝手がよくなる。
【００１６】
次に、図５は本考案の布製バックの他の例の平面図であり、この例が図１のそれと異なる点は、切り離し６がより明確に表されていることである。
【符号の説明】
【００１７】
１  袋本体部
２  袖部
３  紐通し
４  紐
５  ハトメ
６  切り離し
７  欠切
８  本体縫製糸
【００１８】
９  接続縫製糸
9a  袖縫製糸
10  折返し底
11  紐通し縫製糸
12  開口
13  仕切
【図１】
0003162821.tif 000003
【図２】
0003162821.tif 000004
【図３】
0003162821.tif 000005
【図４】
0003162821.tif 000006
【図５】
0003162821.tif 000007
【図６】
0003162821.tif 000008